(57)【要約】【課題】  帯状の本体部と、本体部の両主表面の一方側と他方側とを連絡するように形成された貫通孔を含む係止部と、を備えてなり、支持物を該貫通孔に貫通させることで支持物に対して係止される帯体において、貫通孔に支持物を容易に貫通できると共に、支持物から帯体が脱落しにくい帯体を提供する。【解決手段】帯状の本体部と、本体部の両主表面の一方側と他方側とを連絡するように形成された貫通孔を含む係止部と、を備えてなり、支持物を該貫通孔に貫通させることで支持物に対して係止される帯体であって、係止部が、該貫通孔と、該貫通孔の周囲の少なくとも一部に形成され本体部よりも厚みが小さい薄肉部分と、を有してなるものである、帯体である。【選択図】図１
2018127122.tif 000002
【特許請求の範囲】
【請求項１】
帯状の本体部と、本体部の両主表面の一方側と他方側とを連絡するように形成された貫通孔を含む係止部と、を備えてなり、支持物を該貫通孔に貫通させることで支持物に対して係止される帯体であって、
係止部が、該貫通孔と、該貫通孔の周囲の少なくとも一部に形成され本体部よりも厚みが小さい薄肉部分と、を有してなるものである、帯体。
【請求項２】
前記貫通孔が、所定の方向であるスリット方向に沿って細長く形成された隙間を有するスリット部である、請求項１に記載の帯体。
【請求項３】
スリット部の前記隙間に支持物を貫通させ、支持物に対して前記帯体をスリット方向に変位させたとき、係止部に隣接する、薄肉部分よりも厚みが大きい本体部により形成される面に支持物が当接するものである、請求項２に記載の帯体。
【請求項４】
前記薄肉部分が、スリット部の前記隙間を規定する縁部と、スリット方向に関しスリット部の一端と他端とを結ぶ線である薄肉外縁線と、によって規定されるものである、請求項２又は３に記載の帯体。
【請求項５】
前記薄肉部分が、スリット部の前記隙間を規定する両縁部の一方と他方とによって一対形成されるものである、請求項４に記載の帯体。
【請求項６】
薄肉外縁線が、スリット部の一端及び／又は他端から遠ざかるにつれてスリット部との距離が単調増加する、スリット部から見て凹の滑らかな曲線部分を有するものである、請求項４又は５に記載の帯体。
【請求項７】
薄肉外縁線の全てが滑らかである、請求項６に記載の帯体。
【請求項８】
スリット方向が本体部の長手方向と同じである、請求項２乃至７のいずれか１に記載の帯体。
【請求項９】
本体部の長手方向に沿った本体部の両側縁部の少なくとも一方が、該長手方向とは垂直方向に向けて突出する突出部分を該長手方向に沿って複数有してなるものである、請求項１乃至８のいずれか１に記載の帯体。
【請求項１０】
前記長手方向に沿った本体部の両側縁部のいずれもが前記突出部分を有しており、
前記両側縁部の前記突出部分の前記長手方向に関する位置が一致しているものである、請求項９に記載の帯体。
【請求項１１】
前記突出部分の外縁が、該外縁の一端から他端まで滑らかな曲線に沿っているものである、請求項９又は１０に記載の帯体。
【請求項１２】
前記長手方向に沿った前記突出部分の位置に対応して係止部が形成されているものである、請求項９乃至１１のいずれか１に記載の帯体。
【発明の詳細な説明】
【技術分野】
【０００１】
本発明は、帯体に関し、より詳細には、帯状の本体部と、本体部の両主表面の一方側と他方側とを連絡するように形成された貫通孔を含む係止部と、を備えてなり、支持物を該貫通孔に貫通させることで支持物に対して係止される帯体に関するものである。
【背景技術】
【０００２】
以前から、帯状の本体部と、本体部の両主表面の一方側と他方側とを連絡するように形成された貫通孔を含む係止部と、を備えてなり、支持物を該貫通孔に貫通させることで支持物に対して係止される帯体が知られている（例えば、特許文献１参照）。
特許文献１は、フック付き荷物固定バンド（特許文献１の「意匠に係る物品」の欄）に関し、具体的には『一方の端にフックを備えている荷物固定用のバンドで、好ましくはゴムなどの弾性体でできている。バンド本体には、自己のフック又は他のバンドについているフック、或いは荷台についているフックに掛けるための複数の孔を備えている。バンドのフックが設けられている側とは遠位にある端には、フック及びフックに取り付けられているバンド部分を通すことができる孔が設けられている』（特許文献１の「意匠に係る物品の説明」）帯体を開示している。
特許文献１に開示の帯体（特許文献１においてはフック付き荷物固定バンド）のバンド本体は、フックに掛けるための複数の孔を備えているものであり、該帯体は、帯状の本体部と、本体部の両主表面の一方側と他方側とを連絡するように形成された貫通孔（特許文献１においては「フックに掛けるための複数の孔」）を含む係止部と、を備えてなり、支持物（特許文献１においてはフック）を該貫通孔（特許文献１においては孔）に貫通させることで支持物に対して係止されるものである。
【先行技術文献】
【特許文献】
【０００３】
【特許文献１】意匠登録第１５５１２１９号公報（例えば、意匠に係る物品、意匠に係る物品の説明、正面図、使用状態を示す参考斜視図２等）
【発明の概要】
【発明が解決しようとする課題】
【０００４】
特許文献１に開示の帯体（特許文献１においてはフック付き荷物固定バンド）は、そのバンド本体に支持物（フック）に掛けるための貫通孔（孔）を備えているので、支持物（フック）を貫通孔（孔）に貫通させることで支持物（フック）に対して係止されることができる。
しかしながら、貫通孔に支持物を容易に貫通可能にするために支持物に対して貫通孔を大きく形成すれば支持物から帯体が脱落しやすくなる問題がある。反面、支持物から帯体が脱落しにくくするために支持物に対して貫通孔を小さく形成すれば貫通孔に支持物を貫通させることが難しい問題を生じうる。
そこで、本発明では、貫通孔に支持物を容易に貫通できると共に、支持物から帯体が脱落しにくい帯体を提供することを目的とする。
【課題を解決するための手段】
【０００５】
本発明の帯体（以下、「本帯体」という）は、帯状の本体部と、本体部の両主表面の一方側と他方側とを連絡するように形成された貫通孔を含む係止部と、を備えてなり、支持物を該貫通孔に貫通させることで支持物に対して係止される帯体であって、係止部が、該貫通孔と、該貫通孔の周囲の少なくとも一部に形成され本体部よりも厚みが小さい薄肉部分と、を有してなるものである、帯体である。
本帯体は、帯状の本体部と、係止部と、を備えており、係止部は貫通孔を含んでいる。貫通孔は、本体部の両主表面の一方側と他方側とを連絡するように形成されている。そして、本帯体を支持するための支持物（例えば、フック）を、この貫通孔に貫通させることで、本帯体は支持物に係止される。
本帯体の係止部は、該貫通孔と、該貫通孔の周囲の少なくとも一部に形成された薄肉部分と、を有している。薄肉部分は、本体部よりも厚みが小さい。
これによって、本帯体の貫通孔に支持物を貫通させる際には、本体部よりも厚みが小さい薄肉部分が容易に変形することで貫通孔に支持物を容易に貫通できると共に、貫通孔に貫通された支持物に、変形した薄肉部分が当接（薄肉部分の該変形によって、薄肉部分が支持物の表面を押すように当接する）することで、支持物の表面と薄肉部分との間に摩擦を生じ、支持物から本帯体が脱落しにくくなる。
【０００６】
本帯体においては、前記貫通孔が、所定の方向であるスリット方向に沿って細長く形成された隙間を有するスリット部であってもよい（以下、この本帯体を「スリット本帯体」という。）。
こうすることで、本帯体に対して所定の方向（スリット方向）に沿った細長い隙間を有するスリット部が前記貫通孔を構成するので、該隙間の間を小さくしても該隙間はスリット方向には長いため、スリット部に支持物を容易に貫通させることができると共に、スリット部の該隙間を規定する両縁が、スリット部に貫通された支持物に当接することで、支持物の表面と該両縁との間に確実に摩擦を生じ、支持物から本帯体が脱落しにくくすることができる。
【０００７】
スリット本帯体においては、スリット部の前記隙間に支持物を貫通させ、支持物に対して前記帯体をスリット方向に変位させたとき、係止部に隣接する、薄肉部分よりも厚みが大きい本体部により形成される面に支持物が当接するものであってもよい。
こうすることで、スリット部の前記隙間に支持物を貫通させ、支持物に対して本帯体をスリット方向に変位させたとき（例えば、本帯体に力が加わることで、支持物に対して本帯体がスリット方向に変位する）、スリット部を含む係止部に隣接する本体部（薄肉部分よりも厚肉）が形成する面に支持物が当接する。このため、支持物の外面が、薄肉部分よりも厚肉の本体部が有する面に当接するので、薄肉部分が有する面に当接するのに比し、裂けたり破損することを防止又は減少させることができる。
【０００８】
スリット本帯体においては、前記薄肉部分が、スリット部の前記隙間を規定する縁部と、スリット方向に関しスリット部の一端と他端とを結ぶ線である薄肉外縁線と、によって規定されるもの（以下、「薄肉外縁線本帯体」という。）であってもよい。
スリット部の前記隙間を規定する縁部と、薄肉外縁線（スリット方向に関しスリット部の一端と他端とを結ぶ線）と、によって囲まれた領域に薄肉部分が形成されるので、スリット部の前記隙間を規定する該縁部に沿って薄肉部分が形成される。このためスリット部に支持物を貫通する際、スリット方向に沿ったいずれの位置においても薄肉部分が容易に変形することでスリット部に支持物を容易に貫通させることができると共に、薄肉部分が、スリット部に貫通された支持物に当接することで摩擦を生じ、支持物から本帯体が脱落しにくくなる。
なお、ここにいう線には、曲線のみならず線分も含まれるものであり、例えば、曲線のみからなる場合のみならず、曲線部分と線分部分とが混在するものであってもよい。
【０００９】
薄肉外縁線本帯体においては、前記薄肉部分が、スリット部の前記隙間を規定する両縁部の一方と他方とによって一対形成されるものであってもよい。
こうすることで、スリット部の前記隙間を規定する両縁部の一方によって薄肉部分が形成されると共に、前記隙間を規定する両縁部の他方によっても薄肉部分が形成されるので、スリット部に支持物を貫通する際、スリット方向に沿ったいずれの位置においても該一方側の薄肉部分と該他方側の薄肉部分とのいずれもが容易に変形することでスリット部に支持物を一層容易に貫通させることができると共に、該一方側の薄肉部分と該他方側の薄肉部分とのいずれもが、スリット部に貫通された支持物に当接しうることで、支持物から本帯体が脱落しにくくなる。
【００１０】
薄肉外縁線本帯体においては、薄肉外縁線が、スリット部の一端及び／又は他端から遠ざかるにつれてスリット部との距離が単調増加する、スリット部から見て凹の滑らかな曲線部分を有するもの（以下、「単調増加部分本帯体」という。）であってもよい。
薄肉外縁線が、スリット部の一端又は他端を端とする曲線部分を有し、該曲線部分は、スリット部から見て凹の滑らか（微分可能）な曲線をなす。そして、該曲線部分は、該端から遠ざかるにつれて、スリット部との距離が単調増加する。
このように、薄肉部分と本体部（厚肉部分）との境を規定する薄肉外縁線が、スリット部の一端側及び／又は他端側に該曲線部分を有することで、スリット部の前記隙間に支持物を貫通させ、支持物に対して本帯体をスリット方向に変位させることで、スリット部を含む係止部に隣接する本体部（薄肉部分よりも厚肉である）が形成する面に支持物が当接しても、該曲線部分に該当する本体部の部分（支持物からの力を受けやすい部分）に応力が集中することを防止し、本体部が裂けたり破損することを防止又は減少することができる。
【００１１】
単調増加部分本帯体においては、薄肉外縁線の全てが滑らかであってもよい。
こうすることで、薄肉部分と本体部（厚肉部分）との境を規定する薄肉外縁線のいずれの位置においても薄肉外縁線が滑らか（微分可能）であることから、薄肉部分に隣接する本体部のいずれの部分にも応力が集中することを防止し、本体部が裂けたり破損することを効果的に防止又は減少することができる。
【００１２】
スリット本帯体においては、スリット方向が本体部の長手方向と同じであってもよい。
こうすることで、スリット部の前記隙間に支持物を貫通させ、本帯体の長手方向への力が本帯体に加わり、支持物に対して本帯体がスリット方向に変位しても本帯体の幅方向（本帯体の長手方向に対して垂直方向）への変位を生じないことから、本帯体がスリット方向に変位しても本帯体が周囲に存する物に干渉等することを防止又は減少し本帯体の使用を便ならしめる。
【００１３】
本帯体においては、本体部の長手方向に沿った本体部の両側縁部の少なくとも一方が、該長手方向とは垂直方向に向けて突出する突出部分を該長手方向に沿って複数有してなるもの（以下、「突出部分本帯体」という。）であってもよい。
こうすることで、本帯体の使用者が、本帯体を手で把持する際、本帯体の長手方向に本帯体が滑ることを突出部分が防止又は減少させることができる（長手方向に本帯体が滑ると、突出部分が、本帯体を把持している手に引っかかる。）。
【００１４】
突出部分本帯体においては、前記長手方向に沿った本体部の両側縁部のいずれもが前記突出部分を有しており、前記両側縁部の前記突出部分の前記長手方向に関する位置が一致しているものであってもよい。
こうすることで、本体部の両側縁部が、前記長手方向に関する位置が一致するように突出部分を有しているので、本帯体の長手方向に本帯体が滑ることを一層有効に防止又は減少させることができる（長手方向に本帯体が滑ると、長手方向の同じ位置の両側縁部が、本帯体を把持している手に同時に引っかかる。）。
【００１５】
突出部分本帯体においては、前記突出部分の外縁が、該外縁の一端から他端まで滑らかな曲線に沿っているものであってもよい。
このように突出部分の外縁の一端から他端まで滑らか（微分可能）な曲線（例えば、円弧、楕円弧、２次曲線、３次曲線等）に沿っていれば、長手方向に本帯体が滑って、本帯体を把持している手に突出部分が引っかかった際に手に大きな衝撃を与えず、手に痛みを与えたり怪我をすることを防止又は減少することができる。
【００１６】
突出部分本帯体においては、前記長手方向に沿った前記突出部分の位置に対応して係止部が形成されているものであってもよい。
係止部は、貫通孔と、本体部よりも厚みが小さい薄肉部分と、を有しているから、係止部が形成されている本帯体の長手方向に沿った位置は、他の部分よりも強度（該長手方向への引張強度）が低下する可能性がある（該長手方向に対して垂直な平面による断面において、係止部の位置は貫通孔や薄肉部分により断面積が他の位置よりも小さくなる。）。このため長手方向に沿った突出部分の位置に対応して係止部を形成することで、突出部分により断面積が増加するので、係止部による断面積を補い係止部による強度低下を防止又は減少することができる。
【図面の簡単な説明】
【００１７】
【図１】本帯体の一実施形態に係る荷物固定用ベルトを示す一部省略平面図である。
【図２】図１のＡ−Ａ断面図である。
【図３】図１のＢ−Ｂ断面図である。
【図４】図１のＣ−Ｃ断面図である。
【図５】フック嵌入部の拡大図である。
【図６】荷物固定用ベルトの使用方法を示す図である。
【発明を実施するための形態】
【００１８】
以下、本発明の実施の形態を図面を参照して説明する。しかしながら、これらによって本発明は何ら制限されるものではない。
【００１９】
図１は、本帯体の一実施形態に係る荷物固定用ベルト（本ベルト）１１を示す一部省略平面図であり、図２は図１のＡ−Ａ断面図であり、図３は図１のＢ−Ｂ断面図（後述のスリット３２に沿った断面）であり、図４は図１のＣ−Ｃ断面図であり、そして図５は、後述のフック嵌入部１３の拡大図（図５（ａ）は、表面３７側からフック嵌入部１３を見たところを示し、図５（ｂ）は、裏面３９側からフック嵌入部１３を見たところを示している。）である。図１乃至図５を参照して、本ベルト１１について説明する。ここでは説明及び理解を容易にするため、互いに直交する３本の軸であるＸ軸、Ｙ軸及びＺ軸を用い、これらＸ軸、Ｙ軸及びＺ軸の方向を図中に矢印Ｘ、矢印Ｙ及び矢印Ｚとしてそれぞれ示している。
本ベルト１１は、全体としてはＸ軸方向（本ベルト１１の長手方向）に沿った帯状（両主表面である表面３７及び裏面３９はいずれもＺ軸に垂直である。）をなしており、柔軟なゴム（太陽光や雨水に耐えうる耐候性に優れたものを用いている）によって全体が一体的に形成されている。
【００２０】
本ベルト１１は、Ｘ軸方向に細長い帯体をなすベルト本体１２と、ベルト本体１２にＸ軸方向に沿って所定間隔（ここでは約８０ｍｍ）毎に形成された複数のフック嵌入部１３と、を備えてなる。複数のフック嵌入部１３は、いずれも同じ構造、形状及び寸法に形成されている。
フック嵌入部１３は、本ベルト１１の表面３７側から裏面３９側に向かって第１の直柱体（第１の直柱体の一底面と表面３７とは同じ一平面に属する）形状に形成された表面側凹部１４ａと、本ベルト１１の裏面３９側から表面３７側に向かって第２の直柱体（第２の直柱体の一底面と裏面３９とは同じ一平面に属する）形状に形成された裏面側凹部１４ｂと、表面側凹部１４ａと裏面側凹部１４ｂとを仕切るように形成された薄肉部分３６と、薄肉部分３６を分断するようにＸ軸に沿って細長く形成されたスリット３２と、を含んでなる。ここに第１の直柱体と第２の直柱体とはいずれも同じ形状及び寸法を有しており、薄肉部分３６と第１の直柱体と第２の直柱体とを合わせると１の直柱体を形成する（即ち、第１の直柱体と第２の直柱体とは平面視において同じ位置に形成されている。）。特に図５に示すように、第１の直柱体及び第２の直柱体の底面（第１の直柱体の両底面と第２の直柱体の両底面との４の底面のいずれも同じ）は、Ｘ軸に平行な一対の線分Ｆ１、Ｆ２（線分Ｆ１、Ｆ２との間の距離は約１０ｍｍ）と、線分Ｆ１の一端と線分Ｆ２の一端とを連結する円弧Ｇ１（ここでは半円）と、線分Ｆ１の他端と線分Ｆ２の他端とを連結する円弧Ｇ２（ここでは半円）と、を有する形状である。なお、円弧Ｇ１は、スリット３２の一端Ｑ１において２つの部分である円弧部分Ｇ１１と円弧部分Ｇ１２とに分割されている。同様に、円弧Ｇ２は、スリット３２の他端Ｑ２において２つの部分である円弧部分Ｇ２１と円弧部分Ｇ２２とに分割されている。薄肉部分３６は厚みＪ２（Ｚ軸方向の寸法）約１．５ｍｍであり、表面３７と裏面３９との間の厚みＪ３約５ｍｍに比して薄肉とされている。スリット３２は、線分Ｆ１までの距離と、線分Ｆ２までの距離と、が等しいＸ軸に平行な直線に沿って細長く形成されており（隙間Ｊ１は約１．５ｍｍ、スリット３２のＸ軸に沿った寸法は約２０ｍｍ）、スリット３２は薄肉部分３６をスリット３２が沿った直線に関してほぼ線対称に分割している。スリット３２は、本ベルト１１の表面３７側と裏面３９側とを連絡する開口であり、後述の通り、本ベルト１１を係止するフック（不図示）が嵌入されるものである。
【００２１】
フック嵌入部１３は、本ベルト１１を係止するフック（不図示）が嵌入されるが、薄肉部分３６は、それ以外の厚肉部分（表面３７と裏面３９との間に形成されたベルト本体１２）に比して薄く変形しやすいことから、本ベルト１１を係止するフック（不図示）をスリット３２に嵌入しやすくすると共に、スリット３２に嵌入されたフック（不図示）の表面に薄肉部分３６が当接（からむ）し摩擦を生じることで、該嵌入されたフック（不図示）がスリット３２から不意に脱落することを防止又は減少させることができる。また、薄肉部分３６のＸ軸方向に関する両端は、厚肉部分により形成される係止壁３８が直円筒の側面に沿った形状に形成されており、スリット３２に嵌入したフック（不図示）が係止壁３８に当接しても、係止壁３８の応力集中を防止又は減少させることで係止壁３８の破損や劣化等を防止又は減少させることができる。
【００２２】
本ベルト１１は、Ｘ軸方向にのびる一対の側面３３、３５を有しており、かかる一対の側面３３、３５、表面３７、裏面３９、本ベルト１１の両端に存する一対の端面２４により規定されている。
側面３３は、Ｘ軸に平行な第１の直線に沿った第１側面３３ａと、Ｘ軸方向に沿って所定間隔毎に形成され円弧（外に凸）に沿った第２側面３３ｂと、を含んでなり、Ｘ軸に対して垂直な平面によるいずれの断面（例えば、図２及び図４）においても、側面３３のいずれの部分も円弧状（ここでは半径約３ｍｍの円弧）に丸みが付けられている。
同様に、側面３５は、Ｘ軸に平行な第２の直線に沿った第１側面３５ａと、Ｘ軸方向に沿って所定間隔毎に形成され円弧（外に凸）に沿った第２側面３５ｂと、を含んでなり、Ｘ軸に対して垂直な平面によるいずれの断面（例えば、図２及び図４）においても、側面３５のいずれの部分も円弧状（ここでは半径約３ｍｍの円弧）に丸みが付けられている。このように側面３３、３５いずれも、Ｘ軸に対して垂直な平面による断面において丸みが付けられていることで、本ベルト１１の使用者の手（不図示）に優しく、この部分が該手に当たった際に該手をきず付けたり痛みを感じることを防止又は減少させることができると共に、この丸みにより手との接触面積を増加させ滑り止め効果を向上させることができる。
【００２３】
第２側面３３ｂが沿う該円弧と、第２側面３５ｂが沿う該円弧と、第１の直線と、第２の直線と、はＺ軸に垂直な同じ一平面に存している。そして、Ｙ軸方向に関しスリット３２の両側に存する第２側面３３ｂ、３５ｂは、該第２側面３３ｂが沿う該円弧の中心と、該第２側面３５ｂが沿う該円弧の中心と、はＸ軸に対して垂直な一平面に属すると共に、該スリット３２及びそれが分割する薄肉部分３６は該一平面に関し面対称を略なしている。
このように本ベルト１１は、第１側面３３ａと第１側面３５ａとはＸ軸に沿って同じ位置に形成されると共に、第２側面３３ｂと第２側面３５ｂとはＸ軸に沿って同じ位置に形成されており、全体として細い部分（第１側面３３ａと第１側面３５ａとにより形成される）と太い部分（第２側面３３ｂと第２側面３５ｂとにより形成される）とが交互に形成されている。本ベルト１１は、用途や目的等に応じて長さ（Ｘ軸方向の寸法）、厚み（表面３７と裏面３９との間の距離）及び幅（Ｙ軸方向の寸法）を適宜決めることができる。ここでは細い部分の幅は約３１ｍｍとされ、太い部分の幅は約４１ｍｍとされている。
【００２４】
表面３７は、Ｚ軸に垂直な一平面に沿うと共に、裏面３９は、Ｚ軸に垂直な一平面に沿っている。
端面２４は、本ベルト１１の一端と他端とに１個ずつ形成されており、側面３３の一端と側面３５の一端とを結ぶもの（本ベルト１１の一端側）と、側面３３の他端と側面３５の他端とを結ぶもの（本ベルト１１の他端側）と、が存している。いずれの端面２４も、円弧（外に凸。ここでは略半円である。）に沿った形状を有するものである。また、端面２４は、端面２４が沿う円弧の中心が存しＺ軸に平行ないずれの平面による断面においても、側面３３、３５と同様、円弧状（ここでは半径約３ｍｍの円弧）に丸みが付けられている。
端面２４が沿う該円弧と、第２側面３３ｂが沿う該円弧と、第２側面３５ｂが沿う該円弧と、第１の直線と、第２の直線と、はＺ軸に垂直な同じ一平面に存している。
本ベルト１１全体として、Ｙ軸に垂直な平面Ｐ（複数存するスリット３２の隙間の中心を通過する）に対して面対称を略なしている。
【００２５】
図６は、本ベルト１１の使用方法を示す図であり、詳しくは、図６（ａ）は、図示しないトラックの荷台近傍に基端が取り付けられたフック１０１に本ベルト１１を係合させた状態を示す側面図であり、図６（ｂ）は、図６（ａ）のＥ−Ｅ断面図である。図６を参照して、本ベルト１１のフック１０１への係合状態を説明する。
図６においては、フック１０１の先端１０３をフック嵌入部１３のスリット３２に嵌入することで（ここでは裏面３９側から表面３７側に先端１０３を貫入している）、フック１０１に本ベルト１１を係止させている。ここに図６（ａ）においては本ベルト１１に右方向（図６中、矢印Ｋ）の張力が加わっており、フック１０１はスリット３２の端部（図６（ｂ）にて左端）に存する係止壁３８に当接することでフック１０１に対し本ベルト１１が係止されている。係止壁３８は、直円筒の側面に沿った形状に厚肉部分（ベルト本体１２）により形成されるので、フック１０１が係止壁３８に当接しても、係止壁３８の応力集中を防止又は減少させることで係止壁３８の破損や劣化等を防止又は減少させることができる。加えて、このスリット３２を貫通したフック１０１には、フック１０１貫通により変形した薄肉部分３６の変形部分３６ｄが当接することで、変形部分３６ｄとフック１０１表面との間の摩擦により、フック１０１がスリット３２から不意に脱落することを防止又は減少させることができる（特に、本ベルト１１への張力が弱まったり無くなった場合にも、フック１０１から本ベルト１１が脱落することを有効に防止する。）。
【００２６】
なお、本ベルト１１は全体が柔軟なゴムによって一体的に形成されているので、本ベルト１１の一端側に存するフック嵌入部１３のいずれかをフック１０１に係止し、トラック荷台（不図示）に積載された荷物（不図示）を本ベルト１１にて縛着し、本ベルト１１を引っ張りつつ（Ｘ軸方向に本ベルト１１が引き延ばされて縮まる方向に張力を生じる）、本ベルト１１の他端側に存するフック嵌入部１３のいずれかをフック１０１に係止することで、両フック嵌入部１３の間に縮まる方向の張力を生じて両フック１０１から本ベルト１１が脱落することを有効に防止することができる。
ここに第２側面３３ｂ、３５ｂが形成された部分は、外に凸の形状を有していることから、本ベルト１１を使用者（不図示）が手で把持した際、該手に対し本ベルト１１がＸ軸方向（長手方向）に沿って滑ることを防止すると共に、第１側面３３ａ、３５ａが形成された部分に比し断面積が大きくなっており、フック嵌入部１３（薄肉部分３６のみしか強度に貢献しない）による強度低下を補う効果を奏する。
このように本ベルト１１を用いることで、トラック荷台（不図示）に積載された荷物（不図示）を迅速かつ容易に縛着し、安心かつ安全に荷物（不図示）を運搬することができる。
【００２７】
以上説明の通り、本ベルト１１は、帯状の本体部（ベルト本体１２）と、本体部（ベルト本体１２）の両主表面（表面３７、裏面３９）の一方（表面３７）側と他方（裏面３９）側とを連絡するように形成された貫通孔（ここではスリット３２）を含む係止部（ここではフック嵌入部１３）と、を備えてなり、支持物（ここではフック１０１）を該貫通孔（スリット３２）に貫通させることで支持物（フック１０１）に対して係止される帯体であって、係止部（フック嵌入部１３）が、該貫通孔（スリット３２）と、該貫通孔（スリット３２）の周囲の少なくとも一部に形成され本体部（ベルト本体１２）よりも厚みが小さい薄肉部分３６（本体部（ベルト本体１２）の厚みＪ３約５ｍｍに比し、薄肉部分３６の厚みＪ２約１．５ｍｍである。）と、を有してなるものである、帯体である。
【００２８】
本ベルト１１においては、前記貫通孔（スリット３２）が、所定の方向であるスリット方向（ここではＸ軸方向）に沿って細長く形成された隙間（隙間Ｊ１約１．５ｍｍ）を有するスリット部（スリット３２）である。
本ベルト１１においては、スリット部（スリット３２）の前記隙間（隙間Ｊ１約１．５ｍｍ）に支持物（フック１０１）を貫通させ、支持物（フック１０１）に対して前記帯体（本ベルト１１）をスリット方向（Ｘ軸方向）に変位させたとき、係止部（フック嵌入部１３）に隣接する、薄肉部分３６よりも厚みが大きい本体部（ベルト本体１２）により形成される面（ここでは係止壁３８）に支持物（フック１０１）が当接する（特に、図６（ｂ））ものである。
【００２９】
本ベルト１１においては、前記薄肉部分３６が、スリット部（スリット３２）の前記隙間（隙間Ｊ１約１．５ｍｍ）を規定する縁部３６ａ、３６ｂと、スリット方向（Ｘ軸方向）に関しスリット部（スリット３２）の一端Ｑ１と他端Ｑ２とを結ぶ線である薄肉外縁線（円弧部分Ｇ１１と線分Ｆ１と円弧部分Ｇ２１、円弧部分Ｇ１２と線分Ｆ２と円弧部分Ｇ２２）と、によって規定されるものである（縁部３６ａと円弧部分Ｇ１１と線分Ｆ１と円弧部分Ｇ２１とにより一方の薄肉部分３６が規定され、縁部３６ｂと円弧部分Ｇ１２と線分Ｆ２と円弧部分Ｇ２２とにより他方の薄肉部分３６が規定される。）。
【００３０】
本ベルト１１においては、前記薄肉部分３６が、スリット部（スリット３２）の前記隙間（隙間Ｊ１約１．５ｍｍ）を規定する両縁部３６ａ、３６ｂの一方３６ａと他方３６ｂとによって一対形成される（縁部３６ａと円弧部分Ｇ１１と線分Ｆ１と円弧部分Ｇ２１とにより一方の薄肉部分３６が形成され、縁部３６ｂと円弧部分Ｇ１２と線分Ｆ２と円弧部分Ｇ２２とにより他方の薄肉部分３６が形成される。）ものである。
本ベルト１１においては、薄肉外縁線（円弧部分Ｇ１１と線分Ｆ１と円弧部分Ｇ２１、円弧部分Ｇ１２と線分Ｆ２と円弧部分Ｇ２２）が、スリット部（スリット３２）の一端Ｑ１及び他端Ｑ２から遠ざかるにつれてスリット部（スリット３２）との距離が単調増加する、スリット部（スリット３２）から見て凹の滑らかな曲線部分を有する（一端Ｑ１から遠ざかるにつれてスリット部（スリット３２）との距離が単調増加する円弧部分Ｇ１１及び円弧部分Ｇ１２と、他端Ｑ２から遠ざかるにつれてスリット部（スリット３２）との距離が単調増加する円弧部分Ｇ２１及び円弧部分Ｇ２２と、を有する。）ものである。
本ベルト１１においては、薄肉外縁線（円弧部分Ｇ１１と線分Ｆ１と円弧部分Ｇ２１、円弧部分Ｇ１２と線分Ｆ２と円弧部分Ｇ２２）の全てが滑らかである。
本ベルト１１においては、スリット方向（Ｘ軸方向）が本体部（ベルト本体１２）の長手方向と同じである。
【００３１】
本ベルト１１においては、本体部（ベルト本体１２）の長手方向（Ｘ軸方向）に沿った本体部（ベルト本体１２）の両側縁部（ここでは側面３３、３５）の少なくとも一方（ここでは両方）が、該長手方向（Ｘ軸方向）とは垂直方向（ここではＹ軸方向）に向けて突出する突出部分（ここでは第２側面３３ｂ、３５ｂ）を該長手方向（Ｘ軸方向）に沿って複数有してなるものである。
本ベルト１１においては、前記長手方向（Ｘ軸方向）に沿った本体部（ベルト本体１２）の両側縁部（側面３３、３５）のいずれもが前記突出部分（第２側面３３ｂ、３５ｂ）を有しており、前記両側縁部（側面３３、３５）の前記突出部分（第２側面３３ｂ、３５ｂ）の前記長手方向（Ｘ軸方向）に関する位置が一致しているものである。
本ベルト１１においては、前記突出部分（第２側面３３ｂ、３５ｂ）の外縁が、該外縁の一端から他端まで滑らかな曲線（ここでは円弧）に沿っているものである。
本ベルト１１においては、前記長手方向（Ｘ軸方向）に沿った前記突出部分（第２側面３３ｂ、３５ｂ）の位置に対応して係止部（フック嵌入部１３）が形成されているものである。
【符号の説明】
【００３２】
１１            本ベルト
１２            ベルト本体
１３            フック嵌入部
１４ａ          表面側凹部
１４ｂ          裏面側凹部
２４            端面
３２            スリット
３３            側面
３３ａ          第１側面
３３ｂ          第２側面
３５            側面
３５ａ          第１側面
３５ｂ          第２側面
３６            薄肉部分
３６ａ、３６ｂ  縁部
３６ｄ          変形部分
３７            表面
３８            係止壁
３９            裏面
１０１            フック
１０３            先端
【図１】
2018127122.tif 000003
【図２】
2018127122.tif 000004
【図３】
2018127122.tif 000005
【図４】
2018127122.tif 000006
【図５】
2018127122.tif 000007
【図６】
2018127122.tif 000008